(57)【要約】      （修正有）【課題】原反シートからの面取り効率の良い形状の手提げ袋を提供する。【解決手段】手提げ袋は、重ねられた２枚の同形の４辺形シートを重ねたものの４辺ａ、ｂ、ｃ、ｄが封じられることにより形成された矩形袋体であって、内部の２点Ａ、Ｂから1辺ａ上の２点Ｃ、Ｄにそれぞれ到達するように設けられた互いに交差しない両シートに亘る２本の切線ｅ、ｆと、２本の切線ｅ、ｆのそれぞれに隣接する２辺ｂ、ｄのそれぞれの一部の封が解除された２つの開口ｂ１、ｄ１と、内部の２点のうちの１点Ａから１辺上の２点Ｃ、Ｄの間の点Ｅに到達するように設けられた一方のシートのみに設けられた切線ｇと、内部の２点のうちの他の１点Ｂから点Ｅに到達するように設けられた他方のシートのみに設けられた切線ｈを有する。【選択図】図１
0003225846.tif 000002
【実用新案登録請求の範囲】
【請求項１】
重ねられた2枚の同形の4辺形シートを重ねたものの4辺a, b, c, dが封じられることにより形成された矩形袋体であって、
内部の2点A、Bから1辺a上の2点C、Dにそれぞれ到達するように設けられた互いに交差しない両シートに亘る2本の切線e, fと、
前記2本の切線e, fのそれぞれに隣接する2辺b, dのそれぞれの一部の前記封が解除された2つの開口b1, d1と、
前記内部の2点のうちの1点Aから前記1辺上の2点C、Dの間の点Eに到達するように設けられた一方のシートのみに設けられた切線gと、前記内部の2点のうちの他の1点Bから前記点Eに到達するように設けられた他方のシートのみに設けられた切線h
を有する手提げ袋。
【請求項２】
前記矩形袋体が、1枚の矩形シートが中央線で半折りされ、重ねられた3辺において固定されることにより形成されているものである請求項１に記載の手提げ袋。
【請求項３】
前記1辺aに隣接する2辺b, dにマチが設けられている請求項１又は２に記載の手提げ袋。
【考案の詳細な説明】
【技術分野】
【０００１】
本考案は、店舗等で商品を購入した客に渡す、購入商品を入れるための手提げ袋（ショッパー袋、買い物袋）に関する。
【背景技術】
【０００２】
スーパーマーケット等で物品を購入した顧客が該物品を持って帰るための手提げ袋として、従来、店舗が薄手のプラスチックシート（多くはポリエチレンシート）から成る使い捨ての袋（ポリ袋）を無償で提供していた。図６にそのようなポリ袋の形状の一例を示す。
【０００３】
しかし、環境負荷低減のために、店舗によるそのようなポリ袋の提供を廃止し、繰り返し使用可能な袋を顧客自身が持参することが推奨されている。そのような袋としてナイロン布製の手提げ袋がよく用いられるが、布製であるために折りたたんでもやや嵩張り、普段の持ち歩きにはやや不便である。
【０００４】
そこで、素材をプラスチックシートではなく不織布として繰り返しの使用に耐えるようにしたものが提案されている（特許文献１、特許文献２）
【先行技術文献】
【特許文献】
【０００５】
【特許文献１】登録実用新案公報第3143071号
【特許文献２】特開2015-120547号公報
【考案の概要】
【考案が解決しようとする課題】
【０００６】
素材を変えたとしても、手提げ袋の形状自体は図６のような従来どおりの形状が踏襲されている。しかし、このような従来の形状は原反であるシートからの面取り効率が悪く、製造時に無駄が発生していた。
【０００７】
本考案が解決しようとする課題は、原反シートからの面取り効率の良い形状の手提げ袋を提供することである。
【課題を解決するための手段】
【０００８】
上記課題を解決するために成された本考案に係る手提げ袋は、
重ねられた2枚の同形の4辺形シートを重ねたものの4辺a, b, c, dが封じられることにより形成された矩形袋体であって、
内部の2点A、Bから1辺a上の2点C、Dにそれぞれ到達するように設けられた互いに交差しない両シートに亘る2本の切線e, fと、
前記2本の切線e, fのそれぞれに隣接する2辺b, dのそれぞれの一部の前記封が解除された2つの開口b1, d1と、
前記内部の2点のうちの1点Aから前記1辺上の2点C、Dの間の点Eに到達するように設けられた一方のシートのみに設けられた切線gと、前記内部の2点のうちの他の1点Bから前記点Eに到達するように設けられた他方のシートのみに設けられた切線h
を有することを特徴とする。
【０００９】
本考案に係る手提げ袋を構成するシートの材料としては、不織布の他、ポリエチレン等のプラスチックや紙等を使用することができる。
【考案の効果】
【００１０】
本考案に係る手提げ袋では、素材であるシートが4辺形であるため、原反シートからの面取り効率が良い。
【図面の簡単な説明】
【００１１】
【図１】本考案の一実施例である手提げ袋の完成時の平面図(a)、一部開放後使用前の平面図(b)及び使用時の平面図(c)
【図２】前記実施例の手提げ袋の製作工程図であり、(a)は原反の平面図、(b)は該原反を二つ折りにして重ねた3辺を封じた状態の平面図、(c)は切線を入れ、封を解除して完成した状態の平面図。
【図３】前記実施例において、封の解除ではなく辺の一部を切断することにより完成した手提げ袋の平面図。
【図４】本考案の他の実施例であるマチ付きの手提げ袋の製作時の中間状態の平面図(a)、そのBB線断面図(b)、切線を入れることにより封を解除して完成した状態の平面図(c)、及び、そのDD線断面図(d)。
【図５】本考案の更に他の実施例である手提げ袋の平面図。
【図６】従来の手提げ袋の平面図。
【考案を実施するための形態】
【００１２】
本考案の一実施例である手提げ袋を図１により説明する。図１(a)は、この手提げ袋１０の完成時であって使用前の平面図である。この手提げ袋１０は、2枚の同形の4辺形シートを重ねたものの4辺a, b, c, dが封じられることにより形成された矩形袋体であって、内部の2点A、Bから1辺a上の2点C、Dにそれぞれ到達するように設けられた互いに交差しない両シートに亘る2本の切線e, fと、前記2本の切線e, fのそれぞれに隣接する2辺b, dのそれぞれの一部の前記封が解除された2つの開口b1, d1と、前記内部の2点のうちの1点Aから前記1辺上の2点C、Dの間の点Eに到達するように設けられた一方のシートのみに設けられた切線gと、前記内部の2点のうちの他の1点Bから前記点Eに到達するように設けられた他方のシートのみに設けられた切線hを有する。
【００１３】
この手提げ袋１０を使用するときは、表裏の切線e、表面の切線g、及び、裏面の切線hで囲われる左側結び片１３、並びに、表裏の切線f、裏面の切線h、及び、表面の切線gで囲われる右側結び片１４を立ち上げる（図１(b)）。そして手提げ袋１０内に物品を入れ、左右の結び片１３、１４を結んだ後、左右の持ち手１１、１２で手に持つことにより使用される。
【００１４】
上記手提げ袋１０の製作工程の一例を図２により説明する。まず、原反となる矩形のシート１５を用意し、それを中央で半分に折る（図２(a)）。そして、重ねた3辺b, c, dにおいてそれらの辺を封じる（図２(b)）。封は、接着剤を用いてもよいが、不織布やプラスチックの場合は加熱によっても封じることができる。その後、前記図１(a)のような状態となるように切線e, f, g, hを入れ、左右の辺b, dの上側の一部b1, d1の封を解除する。
【００１５】
この封の解除は、最初から、原反を半折りにして重ねた状態（図２(b)）で3辺を封ずる際に、その部分b1, d1を封じないという方法で作製することもできる。
【００１６】
また、図３に示すように、その部分b1, d1を切除するという方法で作成することもできる。
【００１７】
本考案の別の実施例であるマチ付きの手提げ袋を図４により説明する。この実施例の手提げ袋２０では、矩形袋体２５の対向する2辺の内側に、折目が内部側である二つ折りのマチ２６、２７が設けられている（図４(a)、(b)）。この矩形袋体２５の両側辺b, dから、該マチ２６、２７よりも浅い位置に切線e, f, g, hを入れることにより、各マチ２６、２７の内部側が切除され（図４(c)、(d)）、左右の持ち手２１、２２の内側が開放されて、手提げ袋２０が完成する。
【００１８】
本考案の手提げ袋では、各切線e, f, g, hは必ずしも直線である必要はない。例えば図５に示すように、切線e, f, g, hを曲線として結び片１３、１４の先端を細くするようにしてもよい。
【符号の説明】
【００１９】
１０、２０…手提げ袋
１１、１２、２１、２２…持ち手
１３、１４、２３、２４…結び片
１５…原反
２５…矩形袋体
２６、２７…マチ
a, b, c, d…辺
e, f, g, h…切線
b1, d1…封解除部
【図１】
0003225846.tif 000003
【図２】
0003225846.tif 000004
【図３】
0003225846.tif 000005
【図４】
0003225846.tif 000006
【図５】
0003225846.tif 000007
【図６】
0003225846.tif 000008